(57)【要約】【課題】  非接触型ＩＣカードにおける共振回路の調整を容易に行え、再調整も容易に行えるようにする。【解決手段】  非接触型ＩＣカードは、アンテナ２に並列接続可能な複数のコンデンサ４ａ，４ｂ，４ｃと、それらをアンテナ２に接続させる複数のスイッチ５ａ，５ｂ，５ｃと、コンデンサ４ａ，４ｂ，４ｃのアンテナ２に対する接続状態を設定するスイッチ切替回路７とが内蔵されておる。リーダ／ライタ装置２０には、非接触型ＩＣカードからの電波によって誘起される電圧値を測定する電圧測定回路２４が設けられている。そして、入力装置９から、電圧測定回路２４で測定された電圧値があらかじめ決められている値になるように、スイッチ切替回路７に、スイッチ５ａ，５ｂ，５ｃの切替状態を制御させる指示を入力する。【選択図】  図１
2006244214.tif 000002
【特許請求の範囲】
【請求項１】
電磁結合によって電力を得る非接触型ＩＣカードであり、かつ、アンテナコイルに並列接続可能な複数の容量素子とそれらの容量素子をアンテナコイルに接続させる複数の切替素子とが内蔵された非接触型ＩＣカードの共振回路を調整する非接触型ＩＣカード調整方法であって、
前記非接触型ＩＣカードからの電波によってリーダ／ライタ装置に誘起される電圧値を測定し、
測定された電圧値があらかじめ決められている値になるように前記複数の切替素子の切替状態を制御することによって、前記複数の容量素子のアンテナコイルに対する接続状態を設定する
ことを特徴とする非接触型ＩＣカード調整方法。
【請求項２】
測定された電圧値があらかじめ決められている値になったときの複数の切替素子の切替状態を、非接触型ＩＣカードのメモリ部に記憶させる
請求項１記載の非接触型ＩＣカード調整方法。
【請求項３】
電磁結合によって電力を得る非接触型ＩＣカードであり、かつ、アンテナコイルに並列接続可能な複数の容量素子と、それらの容量素子をアンテナコイルに接続させる複数の切替素子と、前記複数の切替素子の切替状態を制御して前記複数の容量素子のアンテナコイルに対する接続状態を設定する切替回路とが内蔵された非接触型ＩＣカードの共振回路を調整する非接触型ＩＣカード調整システムであって、
前記非接触型ＩＣカードからの電波によってリーダ／ライタ装置に誘起される電圧値を測定する電圧測定回路と、
測定された電圧値があらかじめ決められている値になるように、前記切替回路に、前記複数の切替素子の切替状態を制御させる指示を入力する入力回路とを備えた
ことを特徴とする非接触型ＩＣカード調整システム。
【請求項４】
電磁結合によって電力を得る非接触型ＩＣカードであって、
アンテナコイルに並列接続可能な複数の容量素子と、
前記複数の容量素子をアンテナコイルに接続させる複数の切替素子と、
特性が調整された共振回路を実現するための切替パターンを記憶したメモリ部と、
前記メモリ部に記憶されている切替パターンに従って前記複数の切替素子の切替状態を制御する切替回路と
を備えたことを特徴とする非接触型ＩＣカード。
【請求項５】
メモリ部には、複数種類の切替パターンが記憶され、
切替回路は、選択指示に応じて、前記メモリ部に記憶されている複数種類の切替パターンのいずれかを選択し、選択した切替パターンに従って複数の切替素子の切替状態を制御する
請求項４記載の非接触型ＩＣカード。
【請求項６】
電磁結合によって電力を得る非接触型ＩＣカードを搭載した移動通信装置であって、
前記非接触型ＩＣカードは、
アンテナコイルに並列接続可能な複数の容量素子と、
前記複数の容量素子をアンテナコイルに接続させる複数の切替素子と、
特性が調整された共振回路を実現するための切替パターンを記憶したメモリ部と、
前記メモリ部に記憶されている切替パターンに従って前記複数の切替素子の切替状態を制御する切替回路と
を備えたことを特徴とする移動通信装置。
【請求項７】
メモリ部には、複数種類の切替パターンが記憶され、
切替回路は、選択指示に応じて、前記メモリ部に記憶されている複数種類の切替パターンのいずれかを選択し、選択した切替パターンに従って複数の切替素子の切替状態を制御する
請求項６記載の移動通信装置。
【発明の詳細な説明】
【技術分野】
【０００１】
本発明は、非接触型ＩＣカードの共振回路を調整する調整方法および調整システム、非接触型ＩＣカード、ならびに非接触型ＩＣカードが搭載されている移動通信装置に関する。
【背景技術】
【０００２】
近距離無線通信方式を利用した非接触型ＩＣカードが搭載された機器が広く普及しつつある。非接触型ＩＣカードは、ＩＣチップとアンテナコイル（以下、アンテナという。）が内蔵されたカードである。非接触型ＩＣカードの実現例として、携帯機器に内蔵されるようなごく小サイズのものからクレジットカード大のものまで種々のサイズのものがある。
【０００３】
近接型の非接触型ＩＣカード（具体的には、非接触型ＩＣカードが搭載されている機器）をリーダ／ライタ装置に近づけると、非接触型ＩＣカードに内蔵されているアンテナとリーダ／ライタ装置におけるアンテナとの電磁結合によってアンテナに起電力が生ずる。発生した電力によって非接触型ＩＣカードに内蔵されているＩＣチップが駆動される。そして、ＩＣチップ内の回路の制御によってアンテナから電波が出力される。
【０００４】
非接触型ＩＣカードとリーダ／ライタ装置との間での無線通信において使用されるキャリア周波数は規格として所定周波数（例えば、１３．５６ＭＨｚ）に定められている。そこで、非接触型ＩＣカードには、共振周波数を所定周波数に同調させるための同調回路が設けられている。同調回路において一般にコンデンサが用いられ、アンテナとコンデンサとで共振回路が形成される。
【０００５】
非接触型ＩＣカードが搭載された機器を実際に使用する場合に、非接触型ＩＣカードとリーダ／ライタ装置との間の距離が変化すると、共振回路の利得が変化し、非接触型ＩＣカードとリーダ／ライタ装置との間で良好な通信ができなくなるという問題が指摘されている（例えば、特許文献１，２参照）。
【０００６】
そのような問題を解消するために、特許文献１，２には、共振回路を構成するコンデンサの容量を可変できるようにする方式が記載されている。例えば、特許文献１には、それぞれがスイッチと直列接続された複数のコンデンサが並列接続されたコンデンサ並列体を設け、電磁結合にもとづいて発生された電圧の値に応じてスイッチのオン／オフを制御する方式が記載されている。そして、そのような方式によって共振周波数を変化させ、非接触型ＩＣカードとリーダ／ライタ装置との間の距離が変化しても、非接触型ＩＣカードとリーダ／ライタ装置との間で良好な通信が維持されるようにしている。
【０００７】
【特許文献１】特開２００１−１６０１２２号公報（段落０００３−０００９、図１）
【特許文献２】特開平５−１２８３１９号公報（段落０００５−０００７、図１）
【発明の開示】
【発明が解決しようとする課題】
【０００８】
しかし、現実の使用環境では、非接触型ＩＣカードとリーダ／ライタ装置との間の距離はさほど変化しないと考えられる。例えば、鉄道駅の改札に設置されたリーダ／ライタ装置と非接触型ＩＣカードとの間で通信を行わせる場合、利用者は、非接触型ＩＣカードが搭載された機器（カードなど）を、固定的に設置されているリーダ／ライタ装置の前面に設けられているプラスチック面などに当てる。また、コンビニエンスストアに設置されたリーダ／ライタ装置と非接触型ＩＣカードとの間で通信を行わせる場合、利用者は、非接触型ＩＣカードが搭載された機器（カードなど）を、固定的に設置されているリーダ／ライタ装置を内蔵した機器における定められた部分に置く。そのような使用形態では、非接触型ＩＣカードとリーダ／ライタ装置との間の距離はほぼ固定的であり、通信距離は常に確保されているといえる。
【０００９】
すると、非接触型ＩＣカードの現実的な使用形態を考慮した場合、非接触型ＩＣカードとリーダ／ライタ装置との間の距離が変わることを考慮するよりも、非接触型ＩＣカードとリーダ／ライタ装置との間の距離はほぼ一定であるとして、その距離において良好な通信ができるように非接触型ＩＣカードの共振回路の設定を行うことが重要である。そのような設定を行っておけば、非接触型ＩＣカードとリーダ／ライタ装置との間の距離が多少ずれても、良好な通信が維持される。
【００１０】
つまり、非接触型ＩＣカードが搭載された個々の機器を、リーダ／ライタ装置と良好な通信が行えるように共振回路が調整された状態で利用者に提供することが重要である。換言すれば、非接触型ＩＣカード製造時のアンテナの太さや長さ等のばらつきを考慮して、それぞれの機器における非接触型ＩＣカードの共振回路の特性（共振周波数）を最適化するように調整した上で、利用者に提供することが重要である。なお、良好な通信が行えるとは、非接触型ＩＣカードとリーダ／ライタ装置との間で、データの送受信が成功することを意味する。
【００１１】
図６は、共振回路の調整方法の一例を説明するための回路図である。アンテナ２およびＩＣ部６を有する非接触型ＩＣカードにおいて、まず、アンテナ２に並列に多数の個数のコンデンサを接続しておく。そして、共振回路のインピーダンスをネットワークアナライザ等で測定しながらコンデンサを１つずつ外す。そして、共振回路のインピーダンスが、例えば共振周波数が所定周波数としてのキャリア周波数に一致するような値になったときに、コンデンサを外す作業を止め、そのときに残っているコンデンサの数に応じた容量値を共振回路における調整された容量値とする。
【００１２】
そのような調整によって、アンテナ２のパターンの太さや長さにばらつきがあっても、非接触型ＩＣカードにおける共振回路の定数が最適値に調整される。しかしながら、そのような調整の仕方では、調整に時間がかかるという問題がある。また、一旦調整がなされてからは、再調整を行うことができないという問題がある。
【００１３】
なお、図６を参照して説明されるような調整方法によって調整された非接触型ＩＣカードに対して、さらに、特許文献１，２に記載されたような方式を適用することもできる。
【００１４】
本発明は、上記のような問題を解決するための発明であって、非接触型ＩＣカードおよび非接触型ＩＣカードが搭載されている移動通信装置において、非接触型ＩＣカードにおける共振回路の調整を容易に行えるとともに、再調整も容易に行えるようにすることを目的とする。
【課題を解決するための手段】
【００１５】
本発明による非接触型ＩＣカード調整方法は、電磁結合によって電力を得る非接触型ＩＣカードであり、かつ、アンテナコイルに並列接続可能な複数の容量素子（例えば、コンデンサ４ａ，４ｂ，４ｃ）とそれらの容量素子をアンテナコイルに接続させる複数の切替素子（例えば、スイッチ５ａ，５ｂ，５ｃ）とが内蔵された非接触型ＩＣカードの共振回路を調整する方法であって、接触型ＩＣカードからの電波によってリーダ／ライタ装置に誘起される電圧値を測定し、測定された電圧値があらかじめ決められている値（マージンを持った範囲でもよい。）になるように複数の切替素子の切替状態を制御することによって、複数の容量素子のアンテナコイルに対する接続状態を設定することを特徴とする。
【００１６】
測定された電圧値があらかじめ決められている値になったときの複数の切替素子の切替状態を、非接触型ＩＣカードのメモリ部に記憶させるようにしてもよい。
【００１７】
本発明による非接触型ＩＣカード調整システムは、電磁結合によって電力を得る非接触型ＩＣカードであり、かつ、アンテナコイルに並列接続可能な複数の容量素子と、それらの容量素子をアンテナコイルに接続させる複数の切替素子と、複数の切替素子の切替状態を制御して複数の容量素子のアンテナコイルに対する接続状態を設定する切替回路とが内蔵された非接触型ＩＣカードの共振回路を調整するシステムであって、非接触型ＩＣカードからの電波によってリーダ／ライタ装置に誘起される電圧値を測定する電圧測定回路と、測定された電圧値があらかじめ決められている値になるように、切替回路に、複数の切替素子の切替状態を制御させる指示を入力する入力回路（例えば、入力装置９）とを備えたことを特徴とする。
【００１８】
本発明による非接触型ＩＣカードは、アンテナコイルに並列接続可能な複数の容量素子と、複数の容量素子をアンテナコイルに接続させる複数の切替素子と、特性が調整された共振回路を実現するための切替パターン（例えば、オン／オフパターン）を記憶したメモリ部と、メモリ部に記憶されている切替パターンに従って複数の切替素子の切替状態（例えば、スイッチのオン／オフ状態）を制御する切替回路（例えば、スイッチ切替回路７）とを備えたことを特徴とする。
【００１９】
メモリ部には、複数種類の切替パターンが記憶され、切替回路が、選択指示に応じて、メモリ部に記憶されている複数種類の切替パターンのいずれかを選択し、選択した切替パターンに従って複数の切替素子の切替状態を制御するように構成されていてもよい。
【００２０】
本発明による移動通信装置は、内蔵する非接触型ＩＣカードが、アンテナコイルに並列接続可能な複数の容量素子と、複数の容量素子をアンテナコイルに接続させる複数の切替素子と、特性が調整された共振回路を実現するための切替パターンを記憶したメモリ部と、メモリ部に記憶されている切替パターンに従って複数の切替素子の切替状態を制御する切替回路とを備えたことを特徴とする。
【００２１】
移動通信装置において、内蔵する非接触型ＩＣカードは、メモリ部に複数種類の切替パターンが記憶され、切替回路が、選択指示に応じて、メモリ部に記憶されている複数種類の切替パターンのいずれかを選択し、選択した切替パターンに従って複数の切替素子の切替状態を制御するように構成されていてもよい。
【発明の効果】
【００２２】
本発明によれば、非接触型ＩＣカードの共振回路を調整するときに、リーダ／ライタ装置側に誘起された電圧があらかじめ定めた値になるように共振回路の特性を最適化するので、ネットワークアナライザ等の測定器を使用することなく調整を行うことができ、測定器を使用した場合に比べて調整効率を上げることができる。また、記憶されている切替パターンを変更可能に構成することによって共振回路の特性を変えることができるようになり、使用環境が変化したことに応じて通信距離が確保できなくなったような場合でも、容易に非接触型ＩＣカードの共振回路を再調整することができる。
【発明を実施するための最良の形態】
【００２３】
実施の形態１．
以下、本発明の実施の形態を図面を参照して説明する。図１は、本発明による移動通信装置における非接触型ＩＣカードに関連する部分と、調整用のリーダ／ライタ装置とを示す図、すなわち非接触型ＩＣカードの共振回路を調整する非接触型ＩＣカード調整システムの構成例を示す構成図である。
【００２４】
図１に示すように、非接触型ＩＣカード１０には、アンテナ２およびＩＣ部６の他に、同調用のコンデンサ３と調整用のコンデンサ並列体４とが、アンテナ２と並列に設けられている。同調用のコンデンサ３は、常にアンテナ２に並列接続されるコンデンサである。図１には、一例としてコンデンサ並列体４において３つの調整用のコンデンサ４ａ，４ｂ，４ｃが設けられている例が示されている。コンデンサ４ａは、切替スイッチ部５におけるスイッチ５ａで、アンテナ２に並列接続されたり切り離されたりする。また、コンデンサ４ｂは、切替スイッチ部５におけるスイッチ５ｂで、アンテナ２に並列接続されたり切り離されたりする。そして、コンデンサ４ｃは、切替スイッチ部５におけるスイッチ５ｃで、アンテナ２に並列接続されたり切り離されたりする。
【００２５】
さらに、非接触型ＩＣカード１０には、スイッチ５ａ，５ｂ，５ｃのオン／オフを制御するスイッチ切替制御回路７と、スイッチ５ａ，５ｂ，５ｃのオン／オフのパターンを記憶するメモリ部８が搭載されている。スイッチ切替制御回路７は、非接触型ＩＣカード１０の外部の入力装置９とのインタフェース機能も有する。スイッチ５ａ，５ｂ，５ｃのオン／オフのパターンは、入力装置９から入力され、スイッチ切替制御回路７を介してメモリ部８に設定される。なお、オン／オフのパターンとは、例えば、コンデンサ４ａのみをアンテナ２に接続させ、コンデンサ４ｂ，４ｃをアンテナ２に接続させない場合には、（オン、オフ、オフ）である。また、ここでは、コンデンサ並列体４において３つの調整用のコンデンサ４ａ，４ｂ，４ｃが設けられている例を示すが、コンデンサの数は３つに限られない。
【００２６】
ＩＣ部６は、変復調回路、およびＣＰＵやメモリ部が形成されたＩＣ（ＬＳＩ）を含む。また、非接触型ＩＣカード１０において、アンテナ２とそれに接続されるコンデンサとで形成される共振回路とＩＣ部６との間には、直流電圧を生成する整流回路等（図示せず）が設けられている。
【００２７】
リーダ／ライタ装置２０には、アンテナ２２、同調用のコンデンサ２３および例えば１３．５６ＭＨｚで発振する発振器２５の他に、電圧測定回路２４が設けられている。電圧測定回路２４は、非接触型ＩＣカード１０のアンテナコイル２が電波を出しているときにリーダ／ライタ装置２０のアンテナコイル２２に誘導された電流による電圧を測定する。例えば、誘導された電流の値に比例した電圧を発生させ、その値を測定した電圧の値とする。
【００２８】
また、リーダ／ライタ装置２０には、電圧測定回路２４が測定した電圧の値を表示する表示部２６が接続されている。
【００２９】
移動通信装置が携帯電話機である場合には、図２に例示するように、基地局との間で無線伝送を行うためのアンテナ４１、高周波信号の変復調等を行う無線回路４２、装置制御とデータ処理を行うマイクロコンピュータ等による制御部４４、音声処理を行う音声回路４３、入力キーが配置された操作部４５、ＬＣＤ等による表示部４６、スピーカ４７およびマイクロフォン４８などを備えた携帯電話機に、非接触型ＩＣカード１０が搭載される。
【００３０】
次に、図３のフローチャートを参照して共振回路の調整方法について説明する。
非接触型ＩＣカード１０における共振回路の調整を行う場合、調整者は、まず、非接触型ＩＣカード１０を、リーダ／ライタ装置２０に近づける（ステップＳ１）。ここで、非接触型ＩＣカード１０とリーダ／ライタ装置２０との間の距離を、実際の運用において非接触型ＩＣカード１０を内蔵した移動通信装置とリーダ／ライタ装置との間の距離と同じになるようにする。例えば、鉄道駅の改札に設けられているタッチアンドゴー方式のリーダ／ライタ装置での使用を想定する場合には、リーダ／ライタ装置の前面に設けられているプラスチック面とリーダ／ライタ装置におけるアンテナとの間の距離と同じになるようにする。
【００３１】
そして、リーダ／ライタ装置２０から電波を送出させる。すると、非接触型ＩＣカード１０において起電力が生じ、発生した電圧で駆動されるＩＣ部６が動作開始し、アンテナ２を介してデータを電波として送出する（ステップＳ２）。すると、電磁結合によってリーダ／ライタ装置２０におけるアンテナ２２に電流が誘導される。電圧測定回路２４は、その電流に応じた電圧値を表示部２６に出力する。表示部２６は、測定された電圧値を表示する。なお、調整開始時点では、スイッチ５ａ，５ｂ，５ｃは全てオン状態であり、メモリ部８には、初期状態としてのオン／オフのパターン（オン、オン、オン）が設定され、スイッチ切替回路７は、初期状態のオン／オフのパターンに従ってスイッチ５ａ，５ｂ，５ｃの設定を行っているとする。ただし、初期状態は、他の状態、例えば（オフ、オフ、オフ）の状態であってもよい。
【００３２】
調整者は、表示部２６に表示された電圧値を視認する。また、調整者は、非接触型ＩＣカード１０の共振回路の共振周波数が適切に設定されている場合に誘導される電流に応じた電圧値（目標電圧値）をあらかじめ把握している。そして、表示部２６に表示された電圧値が、目標電圧値にマージンを持たせた範囲である指定範囲に入っているか否か判断する（ステップＳ３）。指定範囲に入っている場合には、そのときのオン／オフのパターンをメモリ部８に保存させる（ステップＳ５）。
【００３３】
表示部２６に表示された電圧値が指定範囲に入っていない場合には、調整者は、入力装置９から、電圧値が指定範囲に入る方向に、新たなオン／オフのパターンを入力する（ステップＳ４）。例えば、初期状態のオン／オフのパターンが（オン、オン、オン）であったら、（オン、オン、オフ）のようにする。
【００３４】
そして、再度、ステップＳ２，Ｓ３の処理を実行する。表示部２６に表示された電圧値が指定範囲に入って場合には、そのときのオン／オフのパターンをメモリ部８に保存させるように、入力装置９からスイッチ切替回路７に指示を出す。
【００３５】
その後、非接触型ＩＣカード１０を移動通信装置に組み込む。なお、ここでは、非接触型ＩＣカード１０単体で調整を行う場合を例にしているが、非接触型ＩＣカード１０を移動通信装置に組み込んだ後に、非接触型ＩＣカード１０の共振回路の調整を行うようにしてもよい。
【００３６】
メモリ部８は、不揮発性のメモリである。非接触型ＩＣカード１０の共振回路の調整が終了した後、スイッチ切替回路７がメモリ部８に記憶されているオン／オフのパターンに従ってスイッチ５ａ，５ｂ，５ｃのオン／オフを設定するように、スイッチ切替回路７を設定しておく。従って、移動通信装置の実稼働時には、非接触型ＩＣカード１０の共振回路は、調整された状態で動作する。
【００３７】
以上に説明したように、この実施の形態では、非接触型ＩＣカード１０の共振回路を調整するときに、リーダ／ライタ装置２０側に誘起された電圧があらかじめ定めた値になるように共振回路の特性（共振周波数）を調整するので、ネットワークアナライザ等の測定器を使用することなく調整を行うことができ、測定器を使用した場合に比べて調整効率を上げることができる。
【００３８】
また、メモリ部８に記憶されているオン／オフのパターンを変更することによって共振回路の特性を変えることができるので、使用環境が変化したことに応じて通信距離が確保できなくなったような場合でも、容易に非接触型ＩＣカード１０の共振回路を再調整することができる。
【００３９】
さらに、この実施の形態では、リーダ／ライタ装置２０側に誘起された電圧にもとづいて調整を行っているので、調整のための電圧測定回路を非接触型ＩＣカード１０に搭載する必要はない。従って、調整容易な非接触型ＩＣカード１０を、コスト増なく得ることができることになる。
【００４０】
実施の形態２．
上記の実施の形態では、調整者が表示部２６に表示された電圧値にもとづいてスイッチ５ａ，５ｂ，５ｃの切替の指示を入力装置９から入力するようにした。しかし、スイッチ５ａ，５ｂ，５ｃの切替の指示を自動的に行うようにしてもよい。図４は、スイッチ５ａ，５ｂ，５ｃの切替の指示を自動的に行う場合の非接触型ＩＣカードと調整用のリーダ／ライタ装置とを示す回路図である。
【００４１】
図４に示す例では、電圧測定回路２４は、切替パターン制御回路３０に対して電圧値を出力する。切替パターン制御回路３０には、少なくとも、非接触型ＩＣカード１０の共振回路の共振周波数が適切に設定されている場合に誘導される電流に応じた電圧値（目標電圧値）にマージンを持たせた範囲である指定範囲が設定されている記憶部と、電圧測定回路２４が出力した電圧値と指定範囲とを比較する比較回路と、比較回路の比較結果にもとづいて入力装置９に指示を与える制御回路とが搭載されている。
【００４２】
図４に例示するように構成された場合にも、共振回路の調整は、図３のフローチャートに示すように実行される。すなわち、調整者は、まず、非接触型ＩＣカード１０を、リーダ／ライタ装置２０に近づける。ただし、上記の実施の形態の場合とは異なり、その後は、調整者が表示部２６の表示を視認したり入力装置９から指示入力を行うのではなく、切替パターン制御回路３０が自動的に調整を実行する。具体的には、電圧測定回路２４が出力した電圧値が指定範囲に入っていることが切替パターン制御回路３０における比較回路によって確認されたら、切替パターン制御回路３０における制御部が、そのときのオン／オフのパターンをメモリ部８に保存させるように入力装置９に指示を出す。また、電圧測定回路２４が出力した電圧値が指定範囲に入っていない場合には、切替パターン制御回路３０における制御部は、電圧値が指定範囲に入る方向に新たなオン／オフのパターンを入力するように入力装置９に指示を出す。
【００４３】
この実施の形態でも、ネットワークアナライザ等の測定器を使用することなく調整を行うことができ、測定器を使用した場合に比べて調整効率を上げることができる。また、容易に非接触型ＩＣカード１０の共振回路を再調整することができる。さらに、切替パターン制御回路３０が自動的に調整を遂行するので、調整効率をさらに上げることができる。
【００４４】
実施の形態３．
図５に例示するように、メモリ部８に複数のオン／オフパターンを設定しておいて、非接触型ＩＣカードが搭載されている移動通信装置の実稼働時に、適宜、使用するオン／オフパターンを切り替え、いずれか一方のオン／オフパターンを使用するようにしてもよい。例えば、鉄道駅の改札に設置されたリーダ／ライタ装置とコンビニエンスストアに設置されたリーダ／ライタ装置とで、共振回路の特性を変えた方がよいような場合に、あらかじめ、２通りのオン／オフパターンをメモリ部８に設定しておく。それぞれの設定の仕方は、上記の各実施の形態において説明された通りである。
【００４５】
その場合、移動通信装置には、オン／オフパターン切替のためのユーザインタフェースが組み込まれる。例えば、移動通信装置が図２に例示されたように構成されている場合に、ユーザが操作部４５からの選択指示の入力を可能にするプログラムが、マイクロコンピュータによる制御部４４に実装される。ユーザは、鉄道駅の改札を通過する前に、改札に設置されたリーダ／ライタ装置用に調整されたオン／オフパターンを選択し、コンビニエンスストアにおいて、コンビニエンスストアに設置されたリーダ／ライタ装置用に調整されたオン／オフパターンを選択する。制御部４４は、選択に応じて、非接触型ＩＣカード１０のスイッチ切替回路７に対して、選択後のオン／オフパターンをメモリ部８から読み出して切替スイッチ部５の設定を行うように選択指示を出す。
【００４６】
この実施の形態では、種々の使用環境のそれぞれについて、非接触型ＩＣカード１０とリーダ／ライタ装置との間の通信距離を確保することができる。
【産業上の利用可能性】
【００４７】
本発明は、非接触型ＩＣカード１０、および非接触型ＩＣカード１０を搭載した移動通信装置において、リーダ／ライタ装置との間で良好な通信を行えるような調整および再調整を容易に行うために好適に使用される。
【図面の簡単な説明】
【００４８】
【図１】非接触型ＩＣカードの共振回路を調整する非接触型ＩＣカード調整システムの構成例を示す構成図である。
【図２】非接触型ＩＣカードを搭載した移動通信装置の構成例を示すブロック図である。
【図３】非接触型ＩＣカードの共振回路の調整方法を示すフローチャートである。
【図４】非接触型ＩＣカードの共振回路を調整する非接触型ＩＣカード調整システムの他の構成例を示す構成図である。
【図５】メモリ部に記憶されているオン／オフパターンの一例を示す説明図である。
【図６】共振回路の調整方法の一例を説明するための回路図である。
【符号の説明】
【００４９】
２    アンテナ
３    コンデンサ
４    コンデンサ並列体
４ａ〜４ｃ  コンデンサ
５    切替スイッチ部
５ａ〜５ｃ  スイッチ
６    ＩＣ部
７    スイッチ切替回路
８    メモリ部
９    入力装置
１０  非接触型ＩＣカード
２０  リーダ／ライタ装置
２２  アンテナ
２３  コンデンサ
２４  電圧測定回路
２５  発振器
２６  表示部
【図１】
2006244214.tif 000003
【図２】
2006244214.tif 000004
【図３】
2006244214.tif 000005
【図４】
2006244214.tif 000006
【図５】
2006244214.tif 000007
【図６】
2006244214.tif 000008